(57)【特許請求の範囲】
【請求項１】
取引情報を入力するための入力部と、
貨幣を収納する開閉可能な収納庫と、
開放状態にある前記収納庫を撮像する撮像部と、
情報を記憶する記憶部と、
制御部と、を備え、
前記制御部は、
取引操作の際に、少なくとも前記収納庫が開放されてから閉塞されるまでの期間において前記撮像部に前記収納庫を撮像させ、
前記取引操作が所定の異常条件に整合するか否かを判定し、
前記取引操作が前記異常条件に整合する場合に、前記撮像部により撮像された前記収納庫の画像を、前記取引操作が前記異常条件に整合することが識別可能な状態で、前記記憶部に記憶させ、
前記異常条件は、前記取引操作が、前記入力部から入力された取引情報に基づく操作以外の操作であることを含む、
ことを特徴とする貨幣管理装置。
【請求項２】
前記異常条件は、前記収納庫において、前記取引情報により特定される金種の収納領域以外の収納領域に対する操作がなされたことを含む、請求項１に記載の貨幣管理装置。
【請求項３】
前記異常条件は、前記収納庫に対して収納または取り出された貨幣の数が前記取引情報に基づく貨幣の数に整合しないことを含む、請求項１または２に記載の貨幣管理装置。
【請求項４】
前記制御部は、前記収納庫の画像から前記収納庫に対して収納または取り出された貨幣の金種を識別し、
前記異常条件は、識別した金種が前記取引情報に基づく金種に整合しないことを含む、請求項１ないし３の何れか一項に記載の貨幣管理装置。
【請求項５】
前記制御部は、前記取引操作ごとに前記撮像部により撮像された前記収納庫の画像を前記記憶部に記憶させ、前記異常条件に整合する前記収納庫の画像に、前記取引操作が所定の異常条件に整合することを示す異常の判定結果を関連付けて前記記憶部に記憶させる、請求項１ないし４の何れか一項に記載の貨幣管理装置。
【請求項６】
情報を表示する表示部を備え、
前記制御部は、前記収納庫の画像および前記異常の判定結果に関連付けて、当該異常の判定結果が取得された前記取引操作に関する他の情報を前記記憶部に記憶させ、
前記制御部は、前記記憶部に記憶された情報項目のうち前記異常の判定結果が検索条件に設定された場合、前記記憶部に記憶された情報から前記異常の判定結果に関連付けられた情報を検索し、検索結果を前記表示部に表示させる、請求項５に記載の貨幣管理装置。
【請求項７】
前記制御部は、前記異常の判定結果以外の情報項目が検索条件に設定された場合、得られた検索結果のうち前記異常の判定結果に対応する検索結果に前記異常の判定結果を示す表示を付記する、請求項６に記載の貨幣管理装置。
【請求項８】
前記収納庫が開放されてから閉塞されるまでの期間において前記収納庫に対する前記貨幣の収納状態の遷移を取得する収納遷移取得部をさらに備え、
前記制御部は、前記収納庫の画像とともに前記収納庫に対する前記貨幣の収納状態の遷移を示す遷移画像を、前記表示部に表示させる、請求項６または７に記載の貨幣管理装置。
【請求項９】
前記制御部は、前記収納庫の画像と前記遷移画像とを同期させて前記表示部に表示させる、請求項８に記載の貨幣管理装置。
【請求項１０】
前記異常条件は、前記撮像部による撮像が妨害されたことを含む、請求項１ないし９の何れか一項に記載の貨幣管理装置。
【請求項１１】
操作者に関する情報を取得する操作者情報取得部を備え、
前記撮像部は、前記操作者の画像をさらに取得し、
前記制御部は、前記操作者情報取得部により取得された前記操作者に関する情報と前記撮像部により取得された前記操作者の画像を、前記収納庫の画像に関連付けて前記記憶部に記憶させる、請求項１ないし１０の何れか一項に記載の貨幣管理装置。
【請求項１２】
前記撮像部は、前記収納庫を撮像する第１撮像領域と、前記第１撮像領域よりも広い第２撮像領域との間で撮像領域を切り替え可能であり、
前記制御部は、前記収納庫が開放されてから閉塞されるまでの期間において前記撮像部に前記第１撮像領域で撮像を実行させ、前記第１撮像領域から操作者が退出したと判定すると、前記撮像部に前記第２撮像領域で撮像を実行させる、請求項１ないし１１の何れか一項に記載の貨幣管理装置。
【請求項１３】
貨幣管理装置の制御部が実行する貨幣管理方法であって、
取引操作の際に、少なくとも収納庫が開放されてから閉塞されるまでの期間において前記収納庫を撮像部に撮像させ、
前記取引操作が所定の異常条件に整合するか否かを判定し、
前記取引操作が前記異常条件に整合する場合に、撮像により得られた前記収納庫の画像を、前記取引操作が前記異常条件に整合することが識別可能な状態で記憶部に記憶させ、
前記異常条件は、前記取引操作が、取引情報に基づく操作以外の操作であることを含む、貨幣管理方法。
【発明の詳細な説明】
【技術分野】
【０００１】
本発明は、貨幣を収納および保管する貨幣管理装置および貨幣管理方法に関する。
【背景技術】
【０００２】
従来、貨幣を収納および保管する貨幣管理装置が、銀行等で利用されている。たとえば、銀行では、出納機で出金できない大量現金の支払いや、出納機に収納し切れなくなった紙幣や硬貨等を出納機から取出して保管する場合に貨幣管理装置が使用される。貨幣管理装置に貨幣を収納する場合、紙幣は、所定枚数ごとに結束された状態で貨幣管理装置に収納される。また、硬貨は、所定枚数ごとに包装された状態で貨幣管理装置に収納される。出納機に貨幣が少なくなった場合に、貨幣管理装置から紙幣や硬貨が取り出されて出納機に戻される。
【０００３】
このような貨幣管理装置では、貨幣の収納状況が厳格に管理される必要がある。一般に、銀行等では、貨幣管理装置に貨幣を出し入れする際に、入出金する金額を行員が台帳等に記入する。貨幣管理装置側では、たとえば収納されている貨幣の重量を測定して、貨幣の収納金額が管理される。この場合、台帳等に記入した入出金金額と、実際に入出金された金額とが一致しない場合に、問題となる。
【０００４】
以下の特許文献１では、このような問題に対応可能な貨幣管理装置が記載されている。この貨幣管理装置では、収納庫が開放されてから閉塞されるまでの間、収納庫の映像が撮像され、撮像された映像が取引情報に関連付けて記憶される。この構成によれば、台帳等で管理された金額と貨幣管理装置に保管された貨幣の金額との間に不一致（違算）が生じた場合に、記憶された映像を確認することにより、違算の原因となった誤った取引操作を見つけ出すことができる。
【先行技術文献】
【特許文献】
【０００５】
【特許文献１】特開２０１１−１１３１４２号公報
【発明の概要】
【発明が解決しようとする課題】
【０００６】
しかしながら、上記構成では、違算等が生じた場合に、記憶された全ての映像を逐一確認していく必要があるため、確認作業に時間と労力が費やされてしまう。このため、違算等の原因を迅速かつ的確に究明することが困難である。
【０００７】
かかる課題に鑑み、本発明は、違算等の原因を迅速かつ的確に究明することが可能な貨幣管理装置および貨幣管理方法を提供することを目的とする。
【課題を解決するための手段】
【０００８】
本発明の第１の態様に係る貨幣管理装置は、貨幣を収納する開閉可能な収納庫と、開放状態にある前記収納庫を撮像する撮像部と、情報を記憶する記憶部と、制御部と、を備える。ここで、前記制御部は、取引操作の際に、少なくとも前記収納庫が開放されてから閉塞されるまでの期間において前記撮像部に前記収納部を撮像させ、前記取引操作が所定の異常条件に整合するか否かを判定し、前記取引操作が前記異常条件に整合する場合に、前記撮像部により撮像された前記収納庫の画像を、前記取引操作が前記異常条件に整合することが識別可能な状態で、前記記憶部に記憶させる。前記異常条件は、前記入力部から入力された取引情報に基づく操作以外の操作であることを含む。
【０００９】
本発明の第２の態様は、貨幣管理装置の制御部が実行する貨幣管理方法に関する。本態様に係る貨幣管理方法は、取引操作の際に、少なくとも収納庫が開放されてから閉塞されるまでの期間において前記収納庫を撮像部に撮像させ、前記取引操作が所定の異常条件に整合するか否かを判定し、前記取引操作が前記異常条件に整合する場合に、撮像により得られた前記収納庫の画像を、前記取引操作が前記異常条件に整合することが識別可能な状態で記憶部に記憶させる。前記異常条件は、前記取引操作が、取引情報に基づく操作以外の操作であることを含む。
【発明の効果】
【００１０】
本発明によれば、取引操作が異常条件に整合する場合に、当該取引操作が異常条件に整合することが識別可能な状態で、収納庫の画像が記憶される。したがって、違算等が生じた場合に、取引操作が異常であると判定された収納庫の画像を円滑に確認することができる。
【００１１】
よって、本発明によれば、違算等の原因を迅速かつ的確に究明することが可能な貨幣管理装置および貨幣管理方法を提供することができる。
【００１２】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態に記載されたものに何ら制限されるものではない。
【図面の簡単な説明】
【００１３】
【図１】図１は、実施形態に係る貨幣処理システムの外観を示す斜視図である。
【図２】図２は、実施形態に係る貨幣管理装置および貨幣管理装置に接続された情報処理装置の外観を示す図である。
【図３】図３（ａ）ないし（ｄ）は、それぞれ、実施形態１に係る貨幣管理装置で扱われる貨幣を模式的に示す図である。
【図４】図４（ａ）、（ｂ）は、それぞれ、実施形態１に係る貨幣管理装置のドロアの外観を示す斜視図である。
【図５】図５は、実施形態１に係る操作者カメラおよびドロアカメラの撮像範囲を模式的に示す図である。
【図６】図６は、実施形態１に係る貨幣管理装置と情報処理装置の主たる構成を示すブロック図である。
【図７】図７（ａ）は、実施形態１に係る貨幣管理装置の入力部のキー構成を示す図である。図７（ｂ）、（ｃ）それぞれ、実施形態１に係る貨幣処理装置の表示部に表示される画面の構成を模式的に示す図である。
【図８】図８（ａ）は、実施形態１に係る貨幣管理装置の取引操作時の処理を示すフローチャートである。図８（ｂ）は、実施形態１に係る貨幣管理装置の異常操作の監視処理を示すフローチャートである。
【図９】図９（ａ）〜（ｃ）は、実施形態１に係る貨幣管理装置の記憶部に記憶される取引管理情報の構成を示す図である。
【図１０】図１０（ａ）は、実施形態１に係る情報処理装置の検索処理を示すフローチャートである。図１０（ｂ）、（ｃ）は、それぞれ、実施形態１に係る情報処理装置の表示部に表示される検索受付画面を示す図である。
【図１１】図１１（ａ）は、実施形態１に係る情報処理装置の検索結果の表示処理を示すフローチャートである。図１０（ｂ）、（ｃ）は、それぞれ、実施形態１に係る情報処理装置の表示部に表示される検索結果の画面を示す図である。
【図１２】図１２は、実施形態１に係る情報処理装置の検索結果の画面を示す図である。
【図１３】図１３は、実施形態２に係る貨幣管理装置の構成を示す模式図である。
【図１４】図１４は、実施形態２に係る貨幣管理装置の取引操作時の処理を示すフローチャートである。
【発明を実施するための形態】
【００１４】
以下、本発明の実施形態について、図面を参照して説明する。
【００１５】
＜実施形態１＞
以下の実施形態には、硬貨および紙葉類を処理する出納機に通信線で接続された貨幣管理装置に本発明を適用した例が示されている。
【００１６】
本実施形態において、ドロア２６ａ〜２６ｄが特許請求の範囲に記載の「収納庫」に対応し、操作者カメラ２３およびドロアカメラ２５ａ〜２５ｄが特許請求の範囲に記載の「撮像部」に対応する。また、貨幣管理装置２０の制御部２０４と情報処理端末３０の制御部３０１が特許請求の範囲に記載の「制御部」に対応する。また、カードリーダ２４が特許請求の範囲に記載の「操作者情報取得部」に対応し、ロードセル２０２が特許請求の範囲に記載の「収納遷移取得部」に対応する。
【００１７】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００１８】
図１は、本実施形態に係る貨幣処理システム１の外観を示す斜視図である。
【００１９】
貨幣処理システム１は、出納機１０と貨幣管理装置２０とを備える。通常、貨幣管理装置２０は、出納機１０の近辺に配置される。出納機１０で出金できない大量現金の支払いや、出納機１０に収納しきれなくなった硬貨や紙幣が貨幣管理装置２０に移される。また、出納機１０に貨幣が少なくなった場合は、貨幣管理装置２０から紙幣や硬貨が取り出されて出納機１０に戻される。出納機１０と貨幣管理装置２０は、通信線により接続され、互いに通信可能である。
【００２０】
出納機１０は、束紙幣を処理する束紙幣処理ユニット１１と、バラ紙幣を処理するバラ紙幣処理ユニット１２と、包装硬貨を処理する包装硬貨処理ユニット１３と、バラ硬貨を処理するバラ硬貨処理ユニット１４とを備えている。束紙幣処理ユニット１１には、束紙幣を出金する束紙幣出金口１１ａと束紙幣を入金する束紙幣入金口１１ｂが設けられている。バラ紙幣処理ユニット１２には、バラ紙幣を出金するバラ紙幣出金口１２ａとバラ紙幣を入金するバラ紙幣入金口１２ｂが設けられている。また、包装硬貨処理ユニット１３には、包装硬貨を出金する包装硬貨出金口１３ａが設けられ、バラ硬貨処理ユニット１４には、バラ硬貨を出金するバラ硬貨出金口１４ａが設けられている。
【００２１】
さらに、出納機１０は、入力部１５と、表示部１６と、カードリーダ１７と、プリンタ１８を備えている。入力部１５と表示部１６は、それぞれ、機械式のキーボードおよびモニタであり、出納機１０に対する操作者のインタフェースとして利用される。カードリーダ１７は、操作者が所持するＩＤカードを読み取る。プリンタ１８は、レシート発行装置として機能する。本実施形態では、後述のように、出納機１０から貨幣管理装置２０に貨幣を移す際に、連動番号（４桁の数字）が印字されたレシートがプリンタ１８により発行され、操作者に渡される。
【００２２】
図２は、本実施形態に係る貨幣管理装置２０および貨幣管理装置２０に接続された情報処理端末３０の外観を示す図である。
【００２３】
貨幣管理装置２０は、入力部２１と、表示部２２と、操作者カメラ２３と、カードリーダ２４と、４つのドロアカメラ２５ａ〜２５ｄと、４つのドロア２６ａ〜２６ｄと、を備えている。入力部２１と表示部２２は、それぞれ、機械式のキーボードおよびモニタであり、貨幣管理装置２０に対する操作者のインタフェースとして利用される。操作者カメラ２３は、貨幣管理装置２０に向き合う操作者を撮像する。カードリーダ２４は、ＩＤカードを読み取って操作者のＩＤ情報を取得する。カードリーダ２４はＩＤカードを走査させるためのスリットを備えている。
【００２４】
４つのドロアカメラ２５ａ〜２５ｄは、それぞれ、４つのドロア２６ａ〜２６ｄの上側に配置され、開放されたドロア２６ａ〜２６ｄの内部を上方から撮像する。４つのドロア２６ａ〜２６ｄは、それぞれ、前方に引き出された開放位置と奥方に収納された閉塞位置の間を水平方向に移動可能に貨幣管理装置２０に支持されている。図２には、ドロア２６ａ〜２６ｄが閉塞位置にある状態が示されている。
【００２５】
４つのドロア２６ａ〜２６ｄは、それぞれ、収納する貨幣の金種が決まっている。本実施形態では、最上段のドロア２６ａは１万円紙幣の収納に用いられ、２段目のドロア２６ｂはその他の金種の紙幣の収納に用いられる。また、３段目のドロア２６ｃには１００円、１０円および１円の硬貨の収納に用いられ、最下段のドロア２６ｄは５００円、５０円および５円の硬貨の収納に用いられる。ドロア２６ａ〜２６ｄは、ロック機構２０１（図１には図示せず、図４参照）によって、それぞれ個別に、閉塞位置にロックされている。ドロア２６ａ〜２６ｄは、バネ等の付勢手段によって開放方向に付勢されている。したがって、ドロア２６ａ〜２６ｄは、それぞれ、ロック機構２０１によるロックが解除されると、付勢手段による付勢によって、僅かに引き出される。
【００２６】
貨幣管理装置２０には、情報処理端末３０に通信可能に接続されている。情報処理端末３０は、端末本体３１と、入力部３２と、表示部３３からなっており、たとえばパーソナルコンピュータが用いられる。入力部３２は、キーボードおよびマウスを備え、表示部３３はモニタを有する。情報処理端末３０は、貨幣管理装置２０から貨幣の取引情報を取得して記憶する。また、入力部３２から入力された検索条件に従って取引情報を検索し、検索結果を表示部３３に表示する。
【００２７】
本実施形態において、紙幣は、１００枚が結束された小束紙幣および１０束の小束紙幣が結束された大束紙幣の形態で、ドロア２６ａ、２６ｂに収納される。また、硬貨は、５０枚ごとに包装された包装硬貨の形態で、ドロア２６ｃ、２６ｄに収納される。操作者は、小束紙幣または大束紙幣を出納機１０の束紙幣出金口１１ａから取出して、ドロア２６ａ、２６ｂに収納し、また、包装硬貨を出納機１０の包装硬貨出金口１３ａから取出して、ドロア２６ｃ、２６ｄに収納する。
【００２８】
図２（ａ）、（ｂ）は、それぞれ、小束紙幣および大束紙幣を模式的に示す図、図２（ｃ）は包装硬貨の構成を模式的に示す図である。図２（ｂ）に示すように、大束紙幣は、１０束の小束紙幣を重ねた状態で、長手方向と短手方向に紙帯で結束した構成となっている。また、図２（ｄ）に示すように、１０個の包装硬貨が輪ゴム等で束状に纏められてドロア２６ｃ、２６ｄに収納される場合もある。
【００２９】
図４（ａ）、（ｂ）は、それぞれ、２段目のドロア２６ｂと最下段のドロア２６ｄの内部構造を示す斜視図である。
【００３０】
図４（ａ）に示すように、ドロア２６ｂには、３種類の金種の紙幣の束が、規則正しく収納保管される。図４（ａ）の例では、ドロア２６ｂの内部が、８つの紙幣収納領域２６１が区画されており、紙幣収納領域２６１ごとに、収納保管される紙幣の金種が決められている。８つの紙幣収納領域２６１には、それぞれ、ロードセル２０２（図４（ａ）には図示せず、図６参照）が配置され、このロードセル２０２によって各紙幣収納領域２６１に収納された紙幣の総重量が計測される。なお、ドロア２６ａもドロア２６ｂと同様の構成となっている。
【００３１】
また、図４（ｂ）に示すように、ドロア２６ｄには、３種類の金種の包装硬貨が、規則正しく収納保管される。図４（ｂ）の例では、ドロア２６ｄの内部が、３つの硬貨収納領域２６２に区画されており、硬貨収納領域２６２ごとに、収納保管される硬貨の金種が決められている。３つの硬貨収納領域２６２には、それぞれ、ロードセル２０２（図４（ｂ）には図示せず、図６参照）が配置され、このロードセル２０２によって各硬貨収納領域２６２に収納された硬貨の総重量が計測される。なお、ドロア２６ｃもドロア２６ｄと同様の構成となっている。
【００３２】
図５は、操作者カメラ２３およびドロアカメラ２５ａの撮像範囲を模式的に示す図である。図５は、貨幣管理装置２０を右側から見たときの側面図であり、貨幣管理装置２０内部におけるドロア２６ｂ〜２６ｄの配置状態が透視されて示されている。
【００３３】
操作者カメラ２３は、貨幣管理装置２０に向き合う操作者を下方から撮像可能な方向に向けられている。操作者カメラ２３は、入力部２１への入力する操作者の顔および上半身が撮像可能となるように、撮像範囲およびアングルが設定されている。ドロアカメラ２５ａは、撮像方向が前方に向けられ、図５のように引き出されたドロア２６ａの貨幣収納領域（紙幣収納領域２６１および硬貨収納領域２６２）を略全て撮像でき且つドロア２６ａ上方の所定空間を撮像可能に、撮像範囲およびアングルが設定されている。したがって、ドロアカメラ２５ａによりドロア２６ａの内部のみならず、ドロア２６ａに対して入出金を行う操作者の手および手に持たれた貨幣が撮像される。ドロアカメラ２５ｂ〜２５ｄも、それぞれ、ドロアカメラ２５ａと同様に、直下のドロア２６ｂ〜２６ｄの内部と上方の所定空間を撮像可能に、撮像範囲およびアングルが設定されている。
【００３４】
図６、貨幣管理装置２０と情報処理端末３０の要部構成を示すブロック図である。
【００３５】
図６に示すように、貨幣管理装置２０は、図１に示す入力部２１、表示部２２、操作者カメラ２３、カードリーダ２４およびドロアカメラ２５ａ〜２５ｄの他、ロック機構２０１、ロードセル２０２、報知部２０３、制御部２０４、記憶部２０５および通信部２０６を備えている。上記のように、ロック機構２０１は、ドロア２６ａ〜２６ｄをそれぞれ閉塞状態にロックする。また、ロードセル２０２は、上記のように、ドロア２６ａ〜２６ｄに配された紙幣収納領域２６１および硬貨収納領域２６２に収納された紙幣および硬貨の総重量を領域ごとに計測する。
【００３６】
報知部２０３は、スピーカを備え、貨幣保管装置２０に対する貨幣の入出金時に所定のガイダンス、メッセージ、その他の音声を出力する。
【００３７】
制御部２０４は、ＣＰＵ（Central Processing Unit）等の演算回路を備え、記憶部２０５に記憶されたプログラムに従って、各部を制御する。記憶部２０５は、ＲＯＭ（Read Only Memory）、ＲＡＭ（Random Access Memory）やハードディスク等の記憶媒体を備え、制御部２０４の動作プログラムを記憶し、また、制御部２０４の制御処理の際にワーク領域として利用される。記憶部２０５には、後述の取引操作時の制御プログラムが記憶されている。また、記憶部２０５には、後述のように、取引操作ごとに、取引情報と、操作者カメラ２３により撮像された操作者の静止画（以下、「操作者画像」という）およびドロアカメラ２５ａ〜２５ｄによって撮像された動画（以下、「ドロア画像」という）と、当該取引操作が所定の異常条件に整合するか否かの判定結果である異常フラグが互いに関連付けて記憶される。
【００３８】
通信部２０６は、通信インタフェースであって、通信回線で情報処理端末３０の通信部３０３に接続されている。上記のように、通信部２０６と通信部３０３との間の通信は、有線に限らず、無線で行われても良い。
【００３９】
情報処理端末３０は、端末本体３１の構成として、制御部３０１と、記憶部３０２と、通信部３０３を備える。制御部３０１は、ＣＰＵ等の演算回路を備え、記憶部３０２に記憶されたプログラムに従って、各部を制御する。記憶部３０２は、ＲＯＭ、ＲＡＭやハードディスク等の記憶媒体を備え、制御部３０１の動作プログラムを記憶し、また、制御部３０１の制御処理の際にワーク領域として利用される。記憶部３０２には、後述の検索処理のための制御プログラムが記憶されている。また、後述のように、制御部３０１は、互いに関連付けられた取引情報、操作者画像、ドロア画像および異常フラグを貨幣管理装置２０から取得し、これらの情報を記憶部３０２に記憶させる。
【００４０】
図７（ａ）は、貨幣管理装置２０の入力部２１の構成を模式的に示す図である。
【００４１】
上記のように、入力部２１は、機械式のキーボードにより構成されている。図７（ａ）に示すように、入力部２１は、数字を入力するためのテンキーＢ１１と、収納または取出す貨幣の数を束数または本数単位で入力するための束／本キーＢ１２と、処理の指定または入力項目の確定を行うための実行キーＢ１３と、処理の確定および確認を行うための完了キーＢ１４と、カーソルを上下に移動させるためのカーソルキーＢ１５と、を備えている。さらに、入力部２１は、収納または取出す硬貨の金種を指定するための硬貨金種キーＢ１６と、収納または取出す紙幣の金種を指定するための紙幣金種キーＢ１７と、表示されているウインドウを一つ前のウインドウに戻す切替キーＢ１８と、入力中の数値を訂正する訂正キーＢ１９と、を備えている。硬貨金種キーＢ１６および紙幣金種キーＢ１７には、各キーに金種の表示が付されている。１千円札の紙幣金種キーＢ１７と、１円硬貨の硬貨金種キーＢ１６は、それぞれ、カーソルを左右方向に移動させるためのキーとして共用される。
【００４２】
たとえば、操作者が、貨幣管理装置２０に対して、手動で、取引情報を入力する場合、操作者は、図７（ａ）に示す入力部２１を操作して、貨幣管理装置２０に収納または取出しを行う貨幣の金種と数（小束の束数、包装硬貨の本数）を入力する。このとき、金種の入力は、硬貨金種キーＢ１６または紙幣金種キーＢ１７を用いて行われる。また、小束紙幣の束数や包装硬貨の本数の入力は、テンキーＢ１１と束／本キーＢ１２を用いて行われる。なお、大束紙幣を収納しまたは取出す場合、操作者は、該当金種を入力した上で、１０束と入力する。
【００４３】
図７（ｂ）、（ｃ）は、それぞれ、操作者が小束紙幣および包装硬貨の収納を行う場合に表示部２２に表示される画面の一例を示している。
【００４４】
図７（ｂ）、（ｃ）に示すように、入力画面は、領域Ｒ１１〜領域Ｒ１７を含んでいる。領域Ｒ１１には、当該取引操作が収納に係るものであることが表示される。領域Ｒ１２には、収納に関するシリアル番号が表示され、領域Ｒ１３には、操作者のＩＤ情報が表示される。操作者のＩＤ情報は、操作者が自身のＩＤカードをカードリーダ２４に読み取らせることにより取得される。領域Ｒ１４には、入力操作の際に行われるべき手順が表示される。領域Ｒ１５には、入力部２１へ入力された情報が金種ごとに表示され、また、その合計額が表示される。領域Ｒ１６には、画面の切り替えを行う場合の操作が表示される。領域Ｒ１７には、現在の日時が表示される。
【００４５】
操作者は、自身が収納しようとする貨幣の取引情報（入金情報）を、図７（ｂ）、（ｃ）の画面を参照しながら、図７（ａ）の入力部２１により入力する。そして、収納対象の貨幣に関する取引情報の入力が完了すると、操作者は、完了キーＢ１４を押下して、入力を確定させる。
【００４６】
貨幣管理装置２０から貨幣を取り出す場合も、上記収納時と同様の操作により、取り出す貨幣の金種と束数が入力部２１を介して入力される。なお、取引操作が収納であるか取出であるかは、図７（ｂ）、（ｃ）の一つ前の受付画面で選択可能となっている。操作者は、この受付画面で取引操作が収納と取出の何れであるかを選択する。取引操作が取出である場合、図７（ｂ）、（ｃ）の領域Ｒ１１には、「取出」の文字が表示される。
【００４７】
なお、本実施形態では、貨幣管理装置２０と出納機１０が通信可能であるため、出納機１０から貨幣管理装置２０に貨幣を移す場合は、通信により、取引情報（入金情報）が、出納機１０から貨幣管理装置２０に送信される。
【００４８】
この場合、操作者は、出納機１０に対して自身のＩＤカードを読み取らせた上で、出納機１０から貨幣管理装置２０に移し替える貨幣の金種と貨幣の数（小束紙幣の束数、包装硬貨の本数）を出納機１０に入力して、出納機１０から当該貨幣を取り出す。このとき、出納機１０は、こうして取出された貨幣に関する情報（金種と個数を含む）を、貨幣管理装置２０において設定される取引情報（入金情報）として、固有の連動番号（４桁の数字）に紐づけて記憶し、記憶した連動番号が印字されたレシートをプリンタ１８に出力させる。こうして、操作者は、当該貨幣の連動番号を取得する。
【００４９】
出納機１０から取出した貨幣を貨幣管理装置２０に収納する場合、操作者は、貨幣管理装置２０に対して自身のＩＤカードを読み取らせた上で、レシートに印字された連動番号を貨幣管理装置２０に入力する。これにより、当該貨幣を出納機１０から取出す際に出納機１０に記憶された取引情報（入金情報）が、貨幣管理装置２０に送信される。こうして、図７（ａ）〜（ｂ）を参照して説明した入力操作を行わずとも、取引情報（入金情報）が貨幣管理装置２０に設定される。
【００５０】
図８（ａ）は、取引操作時における貨幣管理装置２０の処理を示すフローチャートである。この処理は、貨幣管理装置２０の制御部２０４において行われる。
【００５１】
図８（ａ）を参照して、制御部２０４は、操作者から操作者ＩＤの入力と取引情報の入力を受け付ける（Ｓ１０１）。操作者ＩＤは、操作者が自身のＩＤカードをカードリーダ２４に読み込ませることにより取得される。また、取引情報は、図７（ａ）〜（ｃ）を参照して説明した手続により操作者が入力部２１に入力することにより取得される。あるいは、出納機１０から貨幣を移し替える場合は、出納機１０で発行された連動番号を操作者が入力部２１に入力することにより、取引情報（入金情報）が出納機１０から貨幣管理装置２０に送信される。取引情報とは、取引の種別（収納／取出）や取引対象貨幣の金種および個数、その合計額を含む、当該取り引きに関する情報である。
【００５２】
こうして、操作者ＩＤと取引情報を取得すると、制御部２０４は、操作者カメラ２３に操作者の静止画を撮像させる（Ｓ１０２）。また、制御部２０４は、取引情報により特定される金種の一つを、取引対象の金種（以下、「取引対象金種」という）に設定する（Ｓ１０３）。取引情報により特定される金種が１つしかない場合、制御部２０４は、当該金種を取引対象金種に設定する。そして、制御部２０４は、取引対象金種の貨幣に対応するドロア（以下、「取引対象ドロア」という）のロックを解除し（Ｓ１０４）、同時に、取引対象ドロアの直上のドロアカメラに、取引対象ドロアの動画すなわちドロア画像の撮像を開始させる（Ｓ１０５）。
【００５３】
その後、ドロア画像の撮像は、取引対象ドロアが閉塞されるまで（Ｓ１０６：ＹＥＳ）継続される。取引対象ドロアが閉塞されると（Ｓ１０６：ＹＥＳ）、制御部２０４は、ドロアカメラにドロア画像の撮像を終了させ（Ｓ１０７）、取引対象ドロアのロックが解除されてから取引対象ドロアが閉塞されるまでの間に取引操作に異常な操作が介在したか否かを判定する（Ｓ１０８）。そして、制御部２０４は、異常の判定結果と取引情報および撮像画像（操作者画像、ドロア画像）を含む情報（以下、「取引管理情報」という）を記憶部２０５に記憶させる。
【００５４】
なお、取引情報により特定される金種が一つの取引対象ドロアに対して複数存在する場合、制御部２０４は、各金種についてＳ１０３からＳ１０８の処理を実行し、全ての金種についてＳ１０３からＳ１０８の処理が完了したときに、当該取引対象ドロアに対する取引操作について、Ｓ１０９の処理を実行する。また、取引情報により特定される金種が複数のドロアに跨る場合、制御部２０４は、Ｓ１０２で操作者画像を取得した後、各ドロアについて、Ｓ１０３〜Ｓ１０９の処理を実行する。この場合、Ｓ１０９では、ドロアごとに、取引管理情報が記憶部２０５に記憶される。また、各取引管理情報には、Ｓ１０２で撮像された同一の操作者画像がそれぞれ含まれる。
【００５５】
図８（ｂ）は、図８（ａ）のＳ１０８（異常操作の判定処理）の詳細を示すフローチャートである。
【００５６】
制御部２０４は、取引対象ドロアが開放状態にある間に、Ｓ１１１〜Ｓ１１７の異常条件に整合する操作が操作者により為されたか否かを判定する。
【００５７】
Ｓ１１１では、取引情報により特定される取引対象金種とは異なる金種の貨幣収納領域（紙幣収納領域２６１、硬貨収納領域２６２）が取引対象ドロアにおいて操作者によりアクセスされたことが異常条件に設定されている。具体的には、制御部２０４は、取引対象ドロアの各貨幣収納領域に設置されたロードセル２０２のログ情報（以下、「アンプログ」という）を参照する。そして、制御部２０４は、取引対象ドロアが開放状態にある間に、取引情報により特定される金種とは異なる金種の貨幣収納領域（紙幣収納領域２６１、硬貨収納領域２６２）に重量変化が生じた場合に、操作者の取引操作がＳ１１１の異常条件に整合すると判定する（Ｓ１１１：ＹＥＳ）。
【００５８】
Ｓ１１２では、取引対象金種に対応する貨幣収納領域（紙幣収納領域２６１、硬貨収納領域２６２）に収納された貨幣の個数（束数、個数）が、取引情報により特定される取引対象金種の貨幣の個数（束数、本数）と異なることが異常条件に設定されている。具体的には、制御部２０４は、取引対象ドロア上の取引対象金種のための貨幣収納領域に設置されたロードセル２０２のアンプログを参照する。そして、制御部２０４は、取引対象ドロアが開放されたタイミングと閉塞されたタイミングとの間の重量差が、取引情報により特定される取引対象金種の貨幣の個数（束数、本数）に対応する重量差に整合しない場合に、操作者の取引操作がＳ１１２の異常条件に整合すると判定する（Ｓ１１２：ＹＥＳ）。
【００５９】
Ｓ１１３では、貨幣収納領域（紙幣収納領域２６１、硬貨収納領域２６２）に収納された貨幣の金種が、当該貨幣収納領域に設定されている金種と異なることが異常条件に設定されている。具体的には、制御部２０４は、ドロア画像に基づいて、取引対象ドロア上の貨幣収納領域に収納された貨幣の金種を識別する。そして、制御部２０４は、識別した金種が当該貨幣収納領域に設定されている金種と異なる場合に、操作者の取引操作がＳ１１３の異常条件に整合すると判定する（Ｓ１１３：ＹＥＳ）。
【００６０】
Ｓ１１４では、取引対象金種のための貨幣収納領域（紙幣収納領域２６１、硬貨収納領域２６２）における重量変化が許容範囲の境界値付近にあることが、異常条件に設定されている。具体的には、制御部２０４は、取引対象金種の取引操作により取引対象金種のための貨幣収納領域に生じると想定される重量変化の許容範囲を設定する。そして、制御部２０４は、当該貨幣収納領域に設置されたロードセル２０２のアンプログを参照し、取引対象ドロアが開放されたタイミングと閉塞されたタイミングとの間の重量差が、重量変化の許容範囲の境界付近にある場合に、操作者の取引操作がＳ１１４の異常条件に整合すると判定する（Ｓ１１４：ＹＥＳ）。たとえば、操作者が、取引対象金種の小束をドロアに収納する際に、小束から数枚、紙幣を抜き取ったとする。この場合、取引対象金種の貨幣収納領域における重量変化は、上記許容範囲に含まれるものの、許容範囲の下限付近に存在することが多い。Ｓ１１４では、このように、取引対象金種の小束や包装硬貨から数枚貨幣が抜き取られた可能性がある状況を、ロードセル２０２の重量変化に基づいて検出するものである。
【００６１】
Ｓ１１５では、ドロアカメラ２５ａ〜２５ｄによる撮像が妨害されたことが、異常条件に設定されている。具体的には、制御部２０４は、取引対象ドロアのドロアカメラが、取引対象ドロアの開放期間において、一時的にあるいは全期間、遮蔽されたことを撮像画像に基づき検出した場合に、操作者の取引操作がＳ１１５の異常条件に整合すると判定する（Ｓ１１５：ＹＥＳ）。
【００６２】
Ｓ１１６では、ドロアカメラ２５ａ〜２５ｄの撮像範囲で、所定時間以上、操作者による操作が検出されなかったことが、異常条件に設定されている。具体的には、制御部２０４は、取引対象ドロアのドロアカメラの撮像画像に所定時間変化がなかった場合に、操作者の取引操作がＳ１１６の異常条件に整合すると判定する（Ｓ１１６：ＹＥＳ）。すなわち、Ｓ１１６は、取引対象ドロアのドロアカメラの撮像画像に所定時間変化がなかった場合に、その間、操作者が不正な行為を行っている可能性があると判定するものである。
【００６３】
Ｓ１１７では、取引対象ドロアが開放されてから閉塞されるまでの時間が所定時間を超えていることが、異常条件に設定されている。Ｓ１１６は、取引操作に長時間を要したことが操作者の不正行為の結果である可能性があると判定するものである。
【００６４】
Ｓ１１１〜Ｓ１１７のうち、Ｓ１１１〜Ｓ１１４において設定された異常条件は、取引情報に従って行われるべき取引操作と実際に行われた取引操作との差異に基づいて、個別具体的に取引操作の異常性を評価するものであり、Ｓ１１５〜Ｓ１１７において設定された異常条件は、通常の取引操作では起こりにくい操作者の不信な挙動に基づいて取引操作の異常性を評価するものである。
【００６５】
なお、取引情報に基づく異常条件は、Ｓ１１１〜Ｓ１１４に記載された条件に限られず、他の条件がさらに追加されても良いし、Ｓ１１１〜Ｓ１１４またはその他の条件のいずれかであっても良い。また、収納と取出し以外の取引操作を対象として、異常条件が設定されても良い。たとえば、ドロア２６ａ〜２６ｄ内の所定の貨幣収納領域に収納されている貨幣の個数を確認するだけの取引操作の場合は、単に、ドロア２６ａ〜２６ｄが開放されたタイミングと再び閉塞されたタイミングとで、当該貨幣収納領域に重量差が検出されたことが異常条件とされ得る。
【００６６】
制御部２０４は、取引操作がＳ１１１〜Ｓ１１７の異常条件の少なくとも一つに整合する場合に、取引操作が異常操作に該当すると判定し（Ｓ１１９）、取引操作がＳ１１１〜Ｓ１１７の異常条件の何れにも整合しない場合は、取引操作が正常操作に該当すると判定する（Ｓ１２０）。
【００６７】
図９（ａ）は、図８（ａ）のＳ１０９で記憶される取引管理情報の構成を示す図である。
【００６８】
図９（ａ）に示すように、取引管理情報は、「取引番号」、「取引日時」、「操作者ＩＤ」、「操作種別」、「金種／金額」、「ドロア」、「ブロック」および「異常フラグ」の各項目の情報が、互いに関連付けられた構成となっている。一つのドロアに対する取引操作が一行分の取引管理情報に対応する。
【００６９】
「取引番号」の欄には、各取引管理情報を特定するためのシリアル番号が格納される。「取引日時」の欄には、取引操作が行われた日時が格納され、操作者ＩＤの欄には、取引操作の際にＩＤカードから読み取られた操作者ＩＤが格納される。「操作種別」の欄には、取引操作の種別（収納、取出し、確認、等）を示す情報が格納される。「ドロア」の欄には、当該取引操作においてアクセスされるべきドロア（取引対象ドロア）を示す情報が格納され、「ブロック」の欄には、当該取引操作においてアクセスされるべき貨幣収納領域（紙幣収納領域２６１、硬貨収納領域２６２）を示す情報が格納される。「異常フラグ」の欄には、図９（ｂ）のＳ１１９によって、当該取引操作が異常操作であると判定された場合に、フラグが格納される。図９（ｂ）のＳ１２０によって、当該取引操作が正常操作であると判定された場合、「異常フラグ」のの欄にはフラグは格納されない。
【００７０】
図９（ｂ）に示すように、各取引操作の「取引番号」には、さらに、「操作者画像」、「ドロア画像」および「重量変化チャプタ」が紐づけられている。「操作者画像」の欄には、当該取引操作に対し、図８のＳ１０２で取得された操作者画像のファイルが関連付けられ、「ドロア画像」には、当該取引操作に対し、Ｓ１０５〜Ｓ１０７の間に取得されたドロア画像のファイルが関連付けられる。「重量変化チャプタ」には、当該取引操作においてアクセス対象とされたドロア（アクセス対象ドロア）中の何れかの貨幣収納領域において、ロードセル２０２により重量変化が検出されたタイミングのドロア画像のフレーム番号が格納される。すなわち、ドロア画像は、一連のフレーム画像からなる動画である。「重量変化チャプタ」には、アクセス対象とされたドロアの何れかの貨幣収納領域において重量変化が検出されたタイミングのフレーム画像を特定するフレーム番号が格納される。
【００７１】
以上の構成を有する取引管理情報が、操作者画像およびドロア画像とともに、随時、貨幣管理装置２０から情報処理端末３０に送信される。たとえば、情報処理端末３０から貨幣管理装置２０に対して定期的に取引管理情報の送信要求が送信される。貨幣管理装置２０は、かかる送信要求に応じて、情報処理端末３０に未送信の取引管理情報と画像を記憶部２０５から読み出して、情報処理端末３０に送信する。情報処理端末３０は、受信した取引管理情報と画像を記憶部３０２に記憶する。なお、送信要求を受けることなく取引管理情報と画像が随時、貨幣管理装置２０から情報処理端末３０に送信されても良い。
【００７２】
貨幣管理装置２０は、取引管理情報の他にも、ドロア２６ａ〜２６ｄ内の各ロードセル２０２によって取得されたアンプログや、取引操作の際に入力された取引情報および当該取引操作の際に行われた手続の流れを纏めた電子ジャーナル、およびドロア２６ａ〜２６ｄが開放された時刻および当該ドロア内の各貨幣収納領域に対する精査結果を含む処理再現ログを、取引操作に関連付けて記憶部２０５に記憶して行く。貨幣管理装置２０は、これらの情報も、随時、情報処理端末３０に送信する。情報処理端末３０では、記憶部３０２に、これらの情報を格納するデータベースが構築されている。情報処理端末３０は、貨幣管理装置２０から受信したアンプログ、電子ジャーナルおよび処理再現ログを、それぞれ、対応するデータベースに格納する。
【００７３】
ところで、本実施形態では、貨幣管理装置２０において違算等が発生した場合に、情報処理端末３０の記憶部３０２に記憶された取引管理情報に対して所定の検索項目で検索を行って、検索結果を情報処理端末３０の表示部３３に表示させることができる。この場合、閲覧者は、図９（ａ）の異常フラグを検索項目として取引管理情報を検索することができ、検索された取引管理情報のドロア画像を表示部３３に表示させて閲覧することができる。これにより、閲覧者は、異常と判定された取引操作のドロア画像を円滑に閲覧することができ、違算等の原因を迅速かつ的確に究明できる。
【００７４】
また、閲覧者が異常フラグ以外の検索項目で取引管理情報を検索した場合は、検索結果として示される取引管理情報の一覧中の、異常フラグが付された取引管理情報に、識別マークが付記される。これにより、閲覧者は、一覧から、異常と判定された取引管理情報を選択して、そのドロア画像を閲覧することができる。このように、所望の検索項目で検索を行った後、適宜、異常と判定された取引操作のドロア画像を閲覧する方法によっても、閲覧者は、違算等の原因を迅速かつ的確に究明することができる。
【００７５】
以下、取引管理情報の閲覧方法について、説明する。
【００７６】
図１０（ａ）は、情報処理端末３０により実行される検索処理を示すフローチャートである。図１０（ｂ）、（ｃ）は、それぞれ、情報処理端末３０の表示部３３に表示される検索受付画面を示す図である。
【００７７】
図１０（ａ）を参照して、情報処理端末３０の制御部３０１は、まず、閲覧者からの検索項目の設定を受け付ける（Ｓ２０１）。次に、制御部３０１は、設定された検索項目に従って、記憶部３０２に記憶された取引管理情報を検索する（Ｓ２０２）。そして、制御部３０１は、検索結果を表示部３３に表示する（Ｓ２０３）。
【００７８】
図１０（ｂ）は、Ｓ２０１において表示部３３に表示される第１受付画面を示す図である。閲覧者は、まず、第１受付画面において検索項目を選択する。第１受付画面への入力は、入力部３２を介して行われる。
【００７９】
図１０（ｂ）に示すように、第１受付画面は、検索項目を選択するためのキーＢ２１〜Ｂ２６と、選択を確定させるためのキーＢ２７と、画面を一つ戻すためのキーＢ２８とを含んでいる。キーＢ２１〜Ｂ２６には、それぞれ、金種、操作者、ドロア、取引日時、チャプタおよび異常操作の検索項目が割り当てられている。この検索画面において、閲覧者は、キーＢ２１〜Ｂ２６から所望の検索項目に対応するキーを選択して押下する。
【００８０】
なお、キーＢ２１〜Ｂ２６は、複数を同時に選択可能である。また、キーＢ２１〜Ｂ２６は、それぞれ、選択されると色が変わる等、選択されたことが識別可能な形態の表示に切り替わる。閲覧者が、キーＢ２１〜Ｂ２４から所望のキーを選択した後、キーＢ２７を押して確定処理を行うと、選択されたキーＢ２１〜Ｂ２４の選択項目の内容をさらに絞り込むための第２受付画面が表示される。
【００８１】
たとえば、図１０（ｂ）のキーＢ２１、Ｂ２２が選択された後、確定処理がなされると、図１０（ｃ）に示す第２受付画面が表示される。この画面は、検索対象の金種を選択するためのキー群Ｂ３１と、操作者を選択するためのキー領域Ｂ３２と、選択を確定させるキーＢ３３と、画面を一つ戻すためのキー３４を含んでいる。キー群Ｂ３１は、それぞれ異なる金種に対応する１０個のキーを含んでいる。キー領域Ｂ３２は、貨幣管理装置２０の操作を行うと者として予め貨幣管理装置２０に登録された操作者を含んでいる。キー領域Ｂ３２は、スクロールバーによって選択候補の操作者をスクロール可能である。また、キー領域Ｂ３２に表示される操作者は、それぞれ、操作者ＩＤと関連付けて、記憶部３０２に登録されている。
【００８２】
キー群Ｂ３１は、複数の金種を同時に選択可能であり、キー領域Ｂ３２も複数の操作者を同時に選択可能である。また、キー群Ｂ３１とキー領域Ｂ３２は、選択されると、選択された金種と操作者が識別可能なように色の変更等がなされる。閲覧者が、キー群Ｂ３１およびキー領域Ｂ３２からそれぞれ金種および操作者を選択した後、キーＢ３３を押すと、検索項目が確定する。この場合、選択された金種と操作者の両方を含む操作管理情報が検索される。
【００８３】
図１０（ｂ）の第１受付画面において、キーＢ２３が選択された場合も、上記と同様、第２受付画面に、４つのドロア２６ａ〜２６ｄのうち検索対象のドロアを選択するためのキー群が含められる。また、第１受付画面において、キーＢ２４が選択された場合は、第２受付画面に、取引日時の範囲を指定するためのキー領域が含められる。閲覧者は、これらの画面により、ドロアと取引日時の範囲を検索項目として設定できる。
【００８４】
また、図１０（ｂ）の第１受付画面においてキーＢ２６が選択されると、異常フラグが付された取引管理情報が検索される。たとえば、図１０（ｂ）の第１受付画面において、キーＢ２６のみが選択された後、キーＢ２７が押されると、異常フラグのみが検索項目に設定される。この場合、第２受付画面は表示されることがない。また、図１０（ｂ）の第１受付画面において、キーＢ２４とキーＢ２６が選択された後、キーＢ２７が押されると、異常フラグが検索項目に設定され、さらに、取引日時の範囲を設定するための第２受付画面が表示される。この第２受付画面で閲覧者が取引日時の範囲を指定すると、指定された取引日時の範囲が異常フラグとともに検索項目に設定される。この場合、指定された取引日時の範囲に含まれ、且つ、異常フラグが付された取引管理情報が検索される。
【００８５】
なお、図１０（ｂ）の第１受付画面においてキーＢ２５が選択された場合は、図９（ｂ）の「重量変化チャプタ」の欄に記述されたフレーム番号が検索項目に含められる。たとえば、図１０（ｂ）のドロアを検索項目とするためのキーＢ２３と共にキーＢ２５が選択され、キーＢ２７が押されると、４つのドロア２６ａ〜２６ｄのうち、検索対象のドロアを選択するための第２受付画面が表示される。この画面において、閲覧者が所望のドロアを選択し確定処理を行うと、まず、選択されたドロアに対応する取引管理情報が抽出され、抽出された取引式管理情報のドロア画像から、「重量変化チャプタ」の欄に記述されたフレーム番号のフレーム画像が検索される。
【００８６】
なお、図１０（ｂ）の第１受付画面と図１０（ｃ）の第２受付画面には、さらに、他の選択キーが含まれても良い。たとえば、第１受付画面に、取引種別（収納、取出、確認）を検索項目として選択するキーが含まれても良い。また、第１受付画面においてキーＢ２３の「ドロア」が選択された場合は、第２受付画面に、ドロアの選択キーの他、ドロア中の貨幣管理領域を検索項目として選択するキーが含まれても良い。
【００８７】
図１０（ａ）のＳ２０２では、こうして設定された検索項目に従って、記憶部３０２に記憶された取引管理情報群から検索項目に整合する取引管理情報が検索される。そして、Ｓ２０３において、検索結果が表示される。
【００８８】
図１１（ａ）は、図１０（ａ）のＳ２０３の検索結果表示処理を示すフローチャートである。
【００８９】
情報処理端末３０の制御部３０１は、まず、検索結果の一覧画面を表示する。
【００９０】
図１１（ｂ）は、一覧画面の表示例を示す図である。この一覧画面は、検索項目として金種と操作者が選択された場合の一覧画面である。一覧画面は、選択された検索条件を示す領域Ｒ２１と、検索結果を一覧表示する領域Ｒ２２とを備える。領域Ｒ２１に表示された他の検索項目が選択された場合も、一覧画面の構成は、図１１（ｂ）と同様である。
【００９１】
領域Ｒ２２には、図９（ａ）に示す取引管理情報の項目のうち、「取引日時」、「金種／金額」、「ドロア」および「ブロック」が含まれている。さらに、領域Ｒ２２には、「操作者」と「警告」の項目が含まれている。「操作者」の項目には、検索された取引管理情報中の「操作者ＩＤ」に対応する操作者の名前が表示される。また、「警告」の項目には、検索された取引管理情報に警告フラグが付されている場合に、これを示すマークが表示される。領域Ｒ２２に表示される検索結果は、スクロールバーを操作することにより、上下にスクロール可能である。また、閲覧者は、領域Ｒ２２に表示された取引管理情報（検索結果）の一つを選択可能である。選択された取引管理情報は、色を変える等して、選択されたことが表示される。
【００９２】
こうして、領域Ｒ２２に一覧表示された取引管理情報（検索結果）の一つが選択されると、当該取引管理情報に含まれる操作者画像とドロア画像が、それぞれ、領域Ｒ２３、Ｒ２４に表示される。閲覧者は、領域Ｒ２３に表示された操作者画像を参照することにより、領域Ｒ２２で選択された取引管理情報の操作者と領域Ｒ２３に表示された操作者が同一人物であるか否かを確認できる。これにより、閲覧者は、当該取引操作が、所謂なりすましによって行われたか否かを判別することができる。
【００９３】
また、閲覧者は、領域Ｒ２４に表示されたドロア画像により、当該取引操作の際に取引対象ドロアが解錠されてから閉塞されるまでの間の取引対象ドロアの動画を参照できる。閲覧者は、適宜、領域Ｒ２４の直下に配された操作キーを操作することにより、ドロア画像を再生、早送り、早戻し、一時停止、停止させることができる。閲覧者は、こうして領域Ｒ２４に表示されるドロア画像を参照することにより、当該取引操作において、取引対象ドロアに対する操作が適正に行われたか否かを確認することができる。
【００９４】
また、図１０（ｂ）の一覧画面では、領域Ｒ２２に一覧表示される取引管理情報（検索結果）のうち、図８（ｂ）の処理で異常操作と判定されたものに、異常操作と判定されたことを示すマークが付記される。これにより、閲覧者は、異常操作と判定された取引操作を優先的に選択して、操作者画像およびドロア画像の確認を進めることができる。したがって、違算等の原因となる不適正な取引操作を、円滑かつ迅速に究明することができる。
【００９５】
図１１（ｂ）の一覧画面には、さらに、画面を詳細画面へと移行させるためのキーＢ４１と、閲覧を終了させるためのキーＢ４２が含まれている。閲覧者がキーＢ４２を押すと（図１１（ａ）のＳ２１２：ＹＥＳ）、情報処理端末３０の制御部３０１は、一覧画面を閉じて、検索処理を終了する。また、閲覧者がキーＢ４１を押すと（図１１（ａ）のＳ２１３：ＹＥＳ）、情報処理端末３０の制御部３０１は、一覧画面を閉じて、詳細画面を表示する（Ｓ２１４）。
【００９６】
図１１（ｃ）は、詳細画面の構成を示す図である。詳細画面には、図１１（ｂ）の領域Ｒ２２で選択された取引管理情報に関連する情報が表示される。
【００９７】
図１１（ｃ）に示すように、詳細画面には、４つの領域Ｒ３１〜Ｒ３４と、画面を戻すためのキーＢ５１が含まれている。領域Ｒ３１には、選択された取引管理情報のドロア画像が、図１１（ｂ）よりも拡大されて表示される。領域Ｒ３１には、領域Ｒ３１に選択されている取引対象ドロアのアンプログが表示される。領域Ｒ３１には、取引対象ドロアの解錠から閉塞までの期間のアンプログが表示される。
【００９８】
領域Ｒ３２に表示される、アンプログには、時間の遷移を示すシーケンスバーＳＢが重ね表示される。このシーケンスバーＳＢは、アンプログ上の、領域Ｒ３１に表示されているドロア画像の再生時間に同期した位置に表示される。したがって、シーケンスバーＳＢは、ドロア画像の再生開始時にはアンプログの左端にあり、ドロア画像の再生に伴って右方向に移動し、ドロア画像の再生が終了するとアンプログの右端に位置付けられる。
【００９９】
閲覧者がマウスでシーケンスバーＳＢをクリックすると、シーケンスバーＳＢが停止し、これに伴いドロア画像の再生が停止する。閲覧射が再びシーケンスバーＳＢをクリックすると、シーケンスバーＳＢが移動を開始し、これに伴い、ドロア画像の再生が再開される。さらに、閲覧者は、マウスでシーケンスバーＳＢを左右にドラッグさせることができる。これにより、閲覧者は、ドロア画像の再生時刻を所望のポイントに変化させることができる。
【０１００】
領域Ｒ３３には、当該取引操作の電子ジャーナルが表示され、領域Ｒ３４には、当該取引操作の処理再現ログが表示される。電子ジャーナルと処理再生ログは、スクロールバーによって、上下にスクロール可能である。閲覧者は、さらに電子ジャーナルおよび処理再現ログを参照することにより、取引操作の内容や作業の流れを確認することができる。
【０１０１】
こうして、閲覧者は、詳細画面を参照することにより、さらに詳細に、ドロア画像を検討することができる。たとえば、閲覧者は、アンプログで重量変化が生じたタイミング付近にシーケンスバーＳＢを移動させることにより、重量変化前後のドロア画像を確認することができる。こうして、ドロア画像を確認することにより、閲覧者は、操作対象ドロアの貨幣収納領域における重量変化が、操作者のどのような行為により生じたかを確認することができる。これにより、閲覧者は、操作者の操作が不適正な行為を伴うものであったか否かを、円滑に確認することができる。
【０１０２】
詳細画面の検討が終了すると、閲覧者は、詳細画面に含まれたキーＢ５１を押す。情報処理端末３０の制御部３０１は、こうしてキーＢ５１が押されると（図１１（ａ）のＳ２１５：ＹＥＳ）、詳細画面を閉じて、再び、図１１（ｂ）の一覧画面を開く（Ｓ２１１）。閲覧者は、適宜、領域Ｒ２２に表示された他の操作管理情報を選択し、キーＢ４１を押す（Ｓ２１３：ＹＥＳ）。これにより、制御部３０１は、当該操作管理情報に対応した詳細画面を表示部３３に表示させる。こうして、閲覧者は、順次、所望の操作管理情報の詳細画面を表示させて、ドロア画像を確認できる。全ての確認作業が終了すると、閲覧者は、図１１（ｂ）の一覧画面において、キーＢ４２を押す（Ｓ２１２：ＹＥＳ）。これにより、制御部３０１は、検索処理を終了する。
【０１０３】
なお、図１１（ｂ）に示す一覧画面は、図１０（ｂ）の第１受付画面において、チャプタ用のキーＢ２５が選択されなかった場合のものである。第１受付画面でチャプター用のキーＢ２５が選択された場合は、図１１（ａ）のＳ２１１において、図１２に示す一覧画面が表示される。
【０１０４】
図１２の一覧画面は、図１１（ｂ）の領域Ｒ２２が領域Ｒ４１に置き換えられている。図１２の一覧画面のその他の構成は、図１１（ｂ）と同様である。領域Ｒ４１には、検索で抽出された取引管理情報が一覧表示される。ここには、「取引日時」、「操作者」および「警告」の項目の他に、「重量変化チャプタ」の項目が含まれている。「重量変化チャプタ」の項目には、各取引管理情報に含まれているドロア画像（動画）のうち、図９（ｂ）の重量変化チャプタにより特定されるフレーム番号のフレーム画像のサムネイルが含まれる。ドロア画像に対して複数の重量変化チャプタが紐づけられている場合、全ての重量変化チャプタのフレーム画像のサムネイルが「重量変化チャプタ」の項目に含まれる。
【０１０５】
閲覧者が、所望のサムネイルをマウスでダブルクリックすると、新たに、チャプタ表示用の画面が開かれ、この画面に、当該サムネイルのフレーム番号に対して前後一定範囲（たとえば、数秒）のフレーム画像からなる動画が通常サイズで表示される。これにより、閲覧者は、操作対象ドロアの貨幣収納領域において重量変化が生じたタイミング付近のドロア画像を参照することができる。チャプタ表示用の画面は、当該画面に含まれたクローズキーを操作することにより閉じられる。閲覧者は、選択するサムネイルを変えながら上記操作を繰り返すことにより、重量変化が生じたタイミング付近のドロア画像を順番に確認することができる。
【０１０６】
＜実施形態の効果＞
本実施の形態によれば、以下の効果が奏され得る。
【０１０７】
取引操作が異常条件に整合する場合に、取引対象ドロアのドロア画像が、異常条件に整合することを示す異常フラグが付された状態で、記憶部３０２に記憶される。したがって、違算等が生じた場合、異常条件に整合するドロアのドロア画像を円滑に確認することができる。
【０１０８】
また、図１０（ｂ）の第１受付画面において、キーＢ２６が押されて異常操作が検索項目に設定されると、異常フラグが付された取引管理情報のみが検索結果として表示される。したがって、違算等が生じた場合に、閲覧者は、異常条件に整合するドロアのドロア画像を効率的に確認することができる。
【０１０９】
また、図１０（ｂ）の第１受付画面において、キーＢ２６以外のキーが押されて検索項目が設定されると、異常フラグが付された取引管理情報と異常フラグが付されていない取引管理情報とが混在した状態で、検索結果が表示される。しかしながら、この場合、たとえば、図１１（ｂ）に示すように、異常フラグが付された取引管理情報の行には、異常操作と判定されたことを示すマークが付記される。したがって、違算等が生じた場合に、閲覧者は、異常条件に整合するドロアのドロア画像を優先的に確認することができる。
【０１１０】
また、図１１（ｃ）に示すように、検索結果の詳細画面には、操作対象ドロアのアンプログの画像（ロードセル２０２によって測定された各貨幣収納領域の重量変化の遷移を示す遷移画像）が領域Ｒ３２に表示される。そして、この画像には、ドロア画像の再生タイミングとアンプログ上のタイミングとを同期させるためのシーケンスバーＳＢが重ねて表示される。これにより、閲覧者は、領域Ｒ３１に表示中のドロア画像が、アンプログ上のどのタイミングのものであるかを把握できる。よって、閲覧者は、ドロア画像とアンプログとを対照することにより、貨幣収納領域で重量変化が生じたタイミングでそのような操作が行われたかを確認することができる。
【０１１１】
また、図８（ｂ）のＳ１１１〜Ｓ１１７のうち、Ｓ１１１〜Ｓ１１４において設定された異常条件では、実際の取引情報に基づいて個別具体的に取引操作の異常を評価することができる。また、Ｓ１１５〜Ｓ１１７において設定された異常条件では、通常の取引操作では起こりにくい操作者の不信な挙動に基づいて普遍的に取引操作の異常を評価可能である。このように、本実施形態では、２つの側面から異常条件が設定されているため、広範囲かつ確実に、操作の異常を検出することができる。
【０１１２】
特に、Ｓ１１１〜Ｓ１１３には、実際の取引操作において起こり易い不適切な操作が異常条件に設定されている。これにより、異常な操作を確実に検出できる。
【０１１３】
また、図１１（ｂ）の一覧画面では、領域Ｒ２２に一覧表示された取引管理情報（検索結果）の一つが選択されると、当該取引管理情報に含まれる操作者画像が領域Ｒ２３に表示される。閲覧者は、領域Ｒ２３に表示された操作者画像を参照することにより、領域Ｒ２２で選択された取引管理情報の操作者と領域Ｒ２３に表示された操作者が同一人物であるか否かを確認できる。これにより、閲覧者は、当該取引操作が、所謂なりすましによって行われたか否かを判別することができる。
【０１１４】
また、図１２の一覧画面では、取引対象ドロアの貨幣収納領域において、重量変化が生じたタイミング付近のドロア画像を閲覧できる。これにより、特に、不適正な操作が行われ易い重量変化タイミング付近のドロア画像を、円滑に確認することができる。
【０１１５】
＜変更例１＞
上記実施形態は、以下のとおり、適宜変更され得る。
【０１１６】
たとえば、上記実施形態では、全ての取引操作に対してドロア画像が関連付けられて記憶部２０５、３０２に記憶された。しかしながら、必ずしも、全てのドロア画像が記憶されずとも良く、たとえば、異常操作と判定された取引操作のみにドロア画像が関連付けられて記憶されても良い。これによっても、違算等が生じた場合に、異常操作と判定されたドロア画像を円滑に確認できる。しかし、この構成では、違算等が生じた場合に、正常操作と判定されたドロア画像を確認できない。したがって、正常操作と判定された取引操作も含めて広範にドロア画像を確認するためには、上記実施形態のように、全ての取引操作に対してドロア画像を関連付けて記憶部２０５、３０２に記憶させることが好ましい。
【０１１７】
また、上記実施形態では、図８（ｂ）のＳ１１１〜Ｓ１１７の少なくとも一つでＹＥＳと判定されると、取引管理情報に異常フラグが含まれた。この場合、Ｓ１１１〜Ｓ１１７のどの異常条件によって異常操作と判定されたかによって、取引管理情報に含まれる異常フラグの重要度を変化させても良い。たとえば、Ｓ１１１〜Ｓ１１３の異常条件により異常操作と判定された場合は、その他の異常条件により異常操作と判定された場合に比べて、異常フラグの重要度を高めても良い。また、このように異常フラグの重要度を変化させる場合は、さらに重要度を検索項目して、取引管理情報を検索するようにしても良い。
【０１１８】
また、上記実施形態では、操作者カメラ２３によって操作者の静止画が撮像され、記憶部２０５、３０２に記憶された。しかしながら、操作者カメラ２３によって、取引操作の開始から終了までの間、あるいは、取引対象ドロアの解錠から閉塞までの間、操作者画像が動画で撮像されて記憶部２０５、３０２に記憶されても良い。この場合、閲覧者は、ドロア画像とともに操作者画像により取引操作の適否を確認できる。
【０１１９】
また、上記実施形態では、ドロアごとにドロアカメラが配置されたが、ドロアを撮像するドロアカメラの数や配置位置は、適宜変更可能である。たとえば、２つのドロアに対して一つのドロアカメラが設けられても良く、あるいは、４つのドロアに対して一つのドロアカメラが設けられても良い。また、ドロアカメラが、ドロア２６ａ側に配置され、ドロアを開放したときに、ドロアの内部が撮像可能とされても良い。
【０１２０】
また、各ドロアの内部上面にラインセンサを設け、ドロアの開閉の際にラインセンサでドロア内の貨幣の収納状況を読み取るようにしても良い。そして、ドロア開放時にラインセンサで読み取った画像とドロア閉塞時にラインセンサで読み取った画像とに基づいて、貨幣収納領域に対する貨幣の収納状況の適否を判定し、これが不適切な場合に、異常操作が行われたと判定しても良い。たとえば、開閉前後の画像において、アクセスされるべきではない貨幣収納領域の貨幣の収納状況に変化があれば、異常操作が行われたと判定されても良く、また、ドロア閉塞時に読み取った画像からアクセス対象の貨幣収納領域の金種を識別し、当該貨幣収納領域に収納された金種が不適正である場合に、異常操作が行われたと判定されても良い。
【０１２１】
また、上記実施形態では、貨幣管理装置２０と情報処理端末３０が互いに別体であったが、情報処理端末３０が貨幣管理装置２０に一体化され、あるいは、情報処理端末３０が貨幣管理装置２０に内蔵されても良いし、情報処理端末３０が出納機１０に一体化され、あるいは、情報処理端末３０が出納機１０に内蔵されても良い。
【０１２２】
また、上記実施形態では、図１１（ｃ）の領域Ｒ３２において、ドロア画像の再生に同期してシーケンスバーＳＢが右方向に移動したが、シーケンスバーＳＢは固定され、アンプログの画像がドロア画像の再生に同期して左方向に移動しても良い。
【０１２３】
また、上記実施形態では、ＩＤカードをカードリーダ２４に読み込ませることによって、操作者ＩＤが貨幣管理装置２０に取り込まれたが、ＩＦＲＤタグや他の媒体により、操作やＩＤが貨幣管理装置２０に取り込まれても良く、あるいは、操作者が自身の操作者ＩＤを、入力部２１を介して入力しても良い。また、入力部２１を介して操作者ＩＤに紐付けられたパスワードの入力が必要である場合には、誤ったパスワードを一定回数入力した時点で操作者を撮像しても良い。
【０１２４】
＜実施形態２＞
実施形態２では、操作者およびドロアを撮像するカメラの配置が実施形態１と相違している。実施形態２では、カメラ２７が、特許請求の範囲に記載の「撮像部」に対応する。
【０１２５】
図１３（ａ）は、実施形態２に係る貨幣管理装置２０の構成を示す図である。図１３は、貨幣管理装置２０を右側から見たときの側面図であり、ドロア２６ｂ〜２６ｄの内部での配置状態が透視されて示されている。
【０１２６】
実施形態２では、操作者の撮像とドロア２６ａ〜２６ｄの撮像に一つのカメラ２７が用いられる。カメラ２７は、貨幣管理装置２０の上部に設置され、図示しない通信線により貨幣管理装置２０に接続されている。カメラ２７は、貨幣管理装置２０の制御部２０４によって制御される。カメラ２７は、撮像範囲Ａ１と撮像範囲Ａ２との間で撮像範囲が切り替え可能である。撮像範囲Ａ１は、操作者を撮像するときの撮像範囲であり、撮像範囲Ａ２は引き出された状態のドロア２６ａ〜２６ｄを撮像するときの撮像範囲である。
【０１２７】
撮像範囲Ａ１は、少なくとも、取引情報の入力の際に貨幣管理装置２０に向き合う操作者の顔から上半身までの範囲が撮像範囲Ａ２に収まるように設定される。また、撮像範囲Ａ２は、ドロア２６ａ〜２６ｄの何れが引き出されても、引き出されたドロアの内部が撮像範囲Ａ２に略収まるように設定される。ドロア画像の撮像時には、引き出されたドロアよりもやや広い範囲がカメラ２７により撮像される。
【０１２８】
なお、撮像範囲Ａ２は、ドロア２６ａ〜２６ｄの何れが引き出されているかによって、広さが調整されても良い。たとえば、最上段のドロア２６ａが引き出される場合よりも、最下段のドロア２６ｄが引き出される場合の方が、撮像範囲Ａ２が狭められ、全てのドロア２６ａ〜２６ｄに対して略一律に、同じサイズのドロア画像が取得されるようにしても良い。当然ながら、ドロア画像を撮像する場合、引き出されるドロアにフォーカスが合うように、カメラ２７のフォーカスが調整される。
【０１２９】
カメラ２７のアングルが自動調整可能である場合、カメラ２７は、取引操作の際に操作者とドロアを適切に撮像できるアングルに調整される。たとえば、管理装置２０の上面に基準となるマーキングを配置し、このマーキングが撮像画像上の所定の位置に位置付けられるよう、カメラ２７のアングルが調整される。これにより、常に適正に、操作者画像とドロア画像を撮像することができる。
【０１３０】
図１４は、取引操作時における貨幣管理装置２０の処理を示すフローチャートである。この処理は、貨幣管理装置２０の制御部２０４において行われる。
【０１３１】
図１４のフローチャートでは、図８（ａ）のフローチャートにＳ１２１〜Ｓ１２５が追加されている。図１４のフローチャートにおいても、図８（ａ）のＳ１０１〜Ｓ１０９は全てそのまま残されており、Ｓ１０１〜Ｓ１０９では図８（ａ）の場合と同様の処理が行われる。ただし、実施形態２では、Ｓ１０２における撮像と、Ｓ１０５〜Ｓ１０７の撮像が、カメラ２７によって行われる。
【０１３２】
制御部２０４は、Ｓ１０１で取引情報の入力を受け付けた後、カメラ２７の撮像範囲を撮像範囲Ａ１に設定する。以下、撮像範囲Ａ１で撮像するモードのことを「高角モード」という。制御部２０４は、高角モードでカメラ２７に撮像させて、操作者画像を取得する（Ｓ１０２）。その後、制御部２０４は、Ｓ１０４の処理により取引対象ドロアのロックを解除し、同時に、カメラ２７の撮像範囲を撮像範囲Ａ２に設定する。以下、撮像範囲Ａ２で撮像するモードのことを「低角モード」という。制御部２０４は、カメラ２７に低角モードで取引操作の撮像を開始させ、ドロア画像を取得する。
【０１３３】
その後、制御部２０４は、カメラ２７の撮像画像を監視し、カメラ２７の撮像範囲から操作者の手や貨幣が退出したか否かを判定する（Ｓ１２３）。ここでの判定は、撮像画像に一定時間、動きが検出されないことにより行われる。カメラ２７の撮像範囲から操作者の手や貨幣が退出したと判定すると（Ｓ１２３：ＹＥＳ）、制御部２０４は、カメラ２７の撮像モードを高角モードに切り替えて、カメラ２７の撮像範囲を広げる（Ｓ１２４）。これにより、操作者が撮像範囲に含まれ、操作者の挙動が撮像される。
【０１３４】
その後、制御部２０４は、カメラ２７の撮像画像を監視し、操作者の手や貨幣が取引対象ドロアの周辺に進入したか否かを判定する（Ｓ１２５）。操作者の手や貨幣が取引対象ドロアの周辺に進入すると（Ｓ１２５：ＹＥＳ）、制御部２０４は、カメラ２７の撮像モードを低角モードに切り替えて、カメラ２７の撮像範囲を狭める（Ｓ１２６）。これにより、取引対象ドロアが大きな画像で撮像される。制御部２０４は、Ｓ１２３〜Ｓ１２６の処理を、取引対象ドロアが閉塞さるまで行う（Ｓ１０６）。
【０１３５】
その後、ドロアが閉塞されると（Ｓ１０６：ＹＥＳ）、制御部２０４は、カメラ２０による撮像を終了し、当該取引操作について異常操作があったか否かを判定する（Ｓ１０８）。Ｓ１０８では、実施形態１と同様、図８（ｂ）の処理が行われる。その後、制御部２０４は、Ｓ１０８の判定結果を含む取引管理情報を記憶部２０５に記憶させる（Ｓ１０９）。これにより、取引操作に係る処理が終了する。
【０１３６】
実施形態２では、一つのカメラ２７で、操作者画像とドロア画像の両方が取得される。よって、貨幣管理装置２０の構成を簡素にできる。
【０１３７】
また、図１４のフローチャートでは、Ｓ１２３、Ｓ１２４の処理により、操作者の操作がカメラ２７の撮像範囲から外れると、カメラ２７の撮像範囲が拡大されて、操作者の挙動が撮像される。したがって、違算等が生じた場合には、操作者の挙動をさらに細かくチェックすることができる。
【０１３８】
また、図１４のフローチャートでは、操作者の操作が取引対象ドロアの周辺で行われるようになると、Ｓ１２５、Ｓ１２６の処理により、カメラ２７の撮像範囲が狭められて、取引対象ドロアが大きな画像で撮像される。したがって、違算等が生じた場合には、取引対象ドロアに対する操作を大きな画像で詳細にチェックすることができる。
【０１３９】
実施形態２においても、実施形態１と同様の検索処理が行われ、取引操作の内容を操作者画像やドロア画像を参照しながら確認することができる。
【０１４０】
なお、カメラ２７による撮像の開始時期は、たとえば貨幣管理装置２０の電源が切られた場合に貨幣管理装置２０の内部電源が、ドロアの開操作を検知したときであってもよいし、あるいは貨幣管理装置が持ち運ばれようとするなどして振動センサが振動を検知したときであってもよい。図１４のＳ１０７においては、Ｓ１２３で操作者の操作がカメラ２７の撮像範囲から外れたことが、異常条件として追加されても良い。
【０１４１】
また、図１４のＳ１２３〜Ｓ１２６が省略されて、取引対象ドロアの開放時には、実施形態１と同様、取引対象ドロア付近のみが撮像されてドロア画像が取得されても良い。
【０１４２】
この他、実施形態２においても、実施形態１の変更例で示した構成が適宜、採用され得る。
【０１４３】
本発明の実施形態は、特許請求の範囲に記載の範囲で適宜変更可能である。
【符号の説明】
【０１４４】
２０  貨幣管理装置
２１  入力部
２３  操作者カメラ（撮像部）
２４  カードリーダ（操作者情報取得部）
２５ａ〜２５ｄ  ドロアカメラ（撮像部）
２６ａ〜２６ｄ  ドロア（収納庫）
２７  カメラ（撮像部）
２０２  ロードセル（収納遷移取得部）
２０４  制御部
２０５  記憶部
３０  情報処理端末
３３  表示部
３０１  制御部
３０２  記憶部
【図１】
0006553379.tif 000002
【図２】
0006553379.tif 000003
【図３】
0006553379.tif 000004
【図４】
0006553379.tif 000005
【図５】
0006553379.tif 000006
【図６】
0006553379.tif 000007
【図７】
0006553379.tif 000008
【図８】
0006553379.tif 000009
【図９】
0006553379.tif 000010
【図１０】
0006553379.tif 000011
【図１１】
0006553379.tif 000012
【図１２】
0006553379.tif 000013
【図１３】
0006553379.tif 000014
【図１４】
0006553379.tif 000015